(57)【要約】【課題】損傷を受けた脊椎骨の中に植え込まれてその位置を回復できる一種の脊椎骨茎から脊椎骨の中に植え込む脊椎骨のリハビリ用復位具を提供する。【解決手段】本考案の脊椎骨茎から脊椎骨の中に植え込む脊椎骨リハビリ用復位具は、その外径を一端から別端に亘って段々と大きくなり、ほぼカーブ状に突出する四周囲を有し、大小異なる微小粒を沢山有する全表面と、一端から別端に向かって一めすねじを有して構成される。【選択図】　　図１
0003097579.tif 000002
【実用新案登録請求の範囲】
【請求項１】
その第一末端から第二末端に向かってその外径が小サイズから段々と大サイズに拡大する外径を呈し、ほぼカーブ状に突き出る四周面を有し、大小異なる微小粒を沢山形成している全表面を有し、更に前記第二末端の端面から前記第一末端に伺って設けられている一めすねじを有することを特徴とする、脊椎骨茎から脊椎骨の中に植え込む脊椎骨リハビリ用復位具。
【請求項２】
更にその表面に多数の微小な孔を有することを特徴とする、請求項１に記載の脊椎骨茎から脊椎骨の中に植え込む脊椎骨リハビリ用復位具。
【考案の詳細な説明】
【０００１】
【考案の属する技術分野】
本考案は、脊椎骨の骨折や骨粗鬆症の治療とリハビリに使用される、脊椎骨リハビリ用復位具に関する。
【０００２】
【従来の技術およびその課題】
月経停止後の女性には、骨粗鬆症を発病する恐れがあり、また男性は年を取るとやはり同様に骨粗鬆症を発病する問題が起こり得る。骨粗鬆症は、即ち骨の組織の中からカルシウムが喪失することから引き起こされるもので、その為に骨が粗鬆して、脆くなったり、弱くなったりして容易に骨折する恐れがある。特に脊椎骨はこの現象が顕著である。骨粗鬆症の危険因子には以下の様なものがある。
【０００３】
１．種族によるもの
黒色人種は、骨質密度が比較的高く、白色人種と黄色人種とは骨質密度が低いので骨粗鬆症が発病し易い。
【０００４】
２．生活形態によるもの
タバコを沢山吸ったり、酒を多量に飲んだり、コーヒーやお茶を過量に飲んだり、運動不足或いは運動を過量に行なうことで起こる骨粗鬆症がある。
【０００５】
３．遺伝によるもの
骨粗鬆症を患う傾向が高い家系に起こり易い。
【０００６】
４．薬物によるもの
長期に亘りステロイドや、甲状腺素、利尿剤、テトロサイクリン、肝素、抗癲癇薬、リチウム塩、拮抗剤、アルミ性抗酸剤や化学療法による薬物の服用により患う骨粗鬆症がある。
【０００７】
５．性腺功能によるもの
男性の性腺功能不足や女性の自然的に或いは手術により発生する早期月経停止から起こる骨粗鬆症がある。
【０００８】
６．性別、体質や年齢によるもの
女性は男性よりも骨粗鬆症にかかる傾向が６倍から８倍高く、また身体が痩せた人、初月経が比較的遅い人、未産婦や年齢が高い人は骨粗鬆症が発病し易い。
【０００９】
また、脊椎骨の骨粗鬆症と骨折の伝統的治療方法は、大体二種に分けられ、その一種は脊椎骨の後方から鋼釘を打ち入れて脊椎骨を固定させる方法であり、別の一種は脊椎骨の前方から骨を植え込んで脊椎骨を固定させる方法である。第一種の後方から鋼釘を打ち入れる方法は、往々にして固定される脊椎骨を同時に固定させなければならない。そして一個の脊椎骨が損傷した場合、五個の連続する脊椎骨の活動を犠牲にしなければならず、結果として脊椎柱が硬化して自由に動けなくなる。その他、骨質が自然に粗鬆状態となっているため、骨折した脊椎骨を治療してもその回復後は一個の大きい空洞を残してしまい、そこを補修しなければ、単に鋼釘だけによる固定では不安定であるため、揺れ動いて断裂し、手術が失敗に終わる恐れがある。前方からの骨補強固定方法は、胸部または腹部を経由する手術になるので、その付近の内臓（例えば肺や血管等）等を傷つける恐れがある。更にその手術に必要な時間も比較的長くかかり、また肋骨を外して用いたり他人から移植する骨を使用したりする場合もあるので、病原菌感染の問題もある。その外、脊椎柱の活動が犠牲となる問題もある。
【００１０】
【考案の目的】
本考案の目的は、前述した従来の骨粗鬆症と脊椎骨の骨折の治療方法の欠点を改良できる、脊椎骨茎から脊椎骨の中に植え込む脊椎骨リハビリ用復位具を提供することにある。
【００１１】
【課題を解決するための手段】
本考案は、一種の脊椎骨茎から脊椎骨に植え込む脊椎骨リハビリ用復位具を提供する。この復位具は、大体長方形を呈し、その外径は一末端が小さく別の一末端に向かって段々と大きくなり、その表面は粗く、その四周囲はややカーブ状に突出し、一端面に横向きの一めすねじを有し、一特殊な工具で前記めすねじにねじ付けることでこの復位具を損傷を受けた脊椎骨の中に嵌め込み、これによりその脊椎骨を拡げる様に支持して脊椎柱の作用功能をリハビリさせるようにする。
【００１２】
【作用】
本考案の脊椎骨茎から脊椎骨に植え込む脊椎骨リハビリ用復位具は、損傷を受けた脊椎骨の中に植え込まれ、その部分を正常な高さと巾に支持して脊椎柱の作用功能をリハビリさせる作用を有する。
【００１３】
【考案の実施の形態】
本考案の脊椎骨茎から脊椎骨に植え込む脊椎骨リハビリ用復位具（１）は、図１に示すように傷害を受けた一脊椎骨（２）に適用されて、調整が不要な完全な状態の一長方形を呈し、その外径は第一末端（１１）から第二末端（１２）に向かって小サイズから段々と大サイズになり、その四周表面（１３）はほぼカーブ状に浮き上がり、同時に大小様々な粒が全表面に密接に形成されてざらざらした表面にしてあり、その第二末端（１２）の末端面には第一末端（１１）に向かって一めすねじ孔（１４）を設けている。なお、表面には多数の微小な孔を設けてもよい。
【００１４】
この脊椎骨復位具（１）を脊椎骨（２）の中に差し込む時は、図２示すように最初に脊椎骨（２）の脊椎骨茎（２１）から復位具（１）を収納できる一植え込み孔（２２）を脊椎骨２内に穿孔する。続いて特殊の植え込み工具を使用し、この工具を復位具（１）のめすねじ（１４）に螺合してから復位具（１）を脊椎骨（２）の植え込み孔（２２）の中に差し込んで正確な位置に安定させてから、植え込み工具をねじ戻して復位具（１）から取り外す。更に、めすねじ孔（１４）を患者自身の骨或いは人工代用骨で填め塞いでおくと、この復位具（１）が脊椎骨（２）の中に固定される。
【００１５】
本考案の脊椎骨茎から脊椎骨に植え込む脊椎骨リハビリ用復位具（１）の設計重点は、脊椎骨茎（２１）の解剖構造にあり、その縦断面は楕円形と長方形の中間的な形状を呈しており、上下側が比較的大きく、左右側が比較的小さく、その高さは脊椎骨（２）の高さと比較して５０％から６０％位である。そのサイズにより設計すれば、脊椎骨茎（２１）から復位具（１）を脊椎骨（２）の中に植え込むことができ、その位置を少なくとも５０％から６０％位に回復させることができる。更に、復位具（１）を植えた脊椎骨（２）の残留部を加えると、回復部分が７０％から８０％位に達する。
【００１６】
更に、損傷を受けた脊椎骨（２）に復位具（１）を植え込んだ後、病状の如何により、その脊椎骨（２）のすぐ上とすぐ下の脊椎骨の間に骨釘（３）を設置して補助固定を図３に示すように施術することができ、これにより損傷を受けかつ復位具（１）を持つ脊椎骨（２）の安定性を増加させることができる。
【００１７】
【考案の効果】
本考案の復位具（１）は、脊椎骨茎（２１）から脊椎骨（２）に孔を開けるので、腹部や胸部から手術を必要とせずに、骨粗鬆症の為に脆くなったり、弱くなったりした脊椎骨（２）の中に植え込まれて、その脊椎骨（２）の強度を増加させることができる。
【００１８】
同時に復位具（１）の四周囲表面（１３）は、ややカーブ状に突出させているので、この表面（１３）で脊椎骨（２）を四方に押して、また患者自身の骨或いは人造代用骨を更に植え込んで、その脊椎骨（２）の正常な高さと巾を維持できる。
【００１９】
その外、復位具（１）の表面全部に亘って大小異なる微小粒を有しているので、脊椎骨（２）と連接して密接に安定性を増加でき、かつ骨の成長を助ける。
【００２０】
尚、復位具（１）が脊椎骨（２）に植え込まれた後は、決してその他の健全な脊椎骨に損傷を与えない。
【図面の簡単な説明】
【図１】本考案に係る脊椎骨茎から脊椎骨の中に植え込む脊椎骨リハビリ用復位具の斜視図である。
【図２】本考案に係る脊椎骨茎から脊椎骨の中に植え込む脊椎骨リハビリ用復位具の使用状態を示す断面図である。
【図３】本考案に係る脊椎骨茎から脊椎骨の中に植え込む脊椎骨リハビリ用復位具の別の使用状態を示す断面図である。
【符号の説明】
１　　　復位具
１１　　第一末端
１２　　第二末端
１３　　壁面
１４　　ねじ孔
２　　　脊椎骨
２１　　脊椎骨茎
２２　　植え込み孔
３　　　骨釘
【図１】
0003097579.tif 000003
【図２】
0003097579.tif 000004
【図３】
0003097579.tif 000005